(57)【要約】【課題】原稿の表面の画像情報を読み取る読み取りセンサの近傍と裏面を読み取る読み取りセンサの近傍との温度差に起因する読み取り特性の差異を解消することができる画像読取装置を提供する。【解決手段】表面用温度検出センサ３２３及び裏面用温度検出センサ３２４を用いて、それぞれ表面用ＣＩＳラインセンサ３１９近傍及び裏面用ＣＩＳラインセンサ３２０近傍の温度の測定を行う。そして、両者の温度測定結果を用いて、例えば表面用ＣＩＳラインセンサ３１９近傍に設置したヒータ３２５のオン／オフを制御することで、両センサ３１９近傍の温度をほぼ同一とする。【選択図】図４
2010219758.tif 000002
【特許請求の範囲】
【請求項１】
原稿を搬送する手段と、
搬送中の原稿の一方面に記録された画像情報を読み取る第一の画像読取手段と、
搬送中の原稿の他方面に記録された画像情報を読み取る第二の画像読取手段と、
前記第一の画像読取手段の近傍の温度を検出する第一の温度検出手段と、
前記第二の画像読取手段の近傍の温度を検出する第二の温度検出手段と、
前記第一の画像読取手段の近傍の温度を調整する温度調整手段と、
前記第一の温度検出手段及び前記第二の温度検出手段の検出の結果に基づいて、前記温度調整手段の動作を制御する手段とを有することを特徴とする画像読取装置。
【請求項２】
原稿を搬送する手段と、
搬送中の原稿の一方面に記録された画像情報を読み取る第一の画像読取手段と、
搬送中の原稿の他方面に記録された画像情報を読み取る第二の画像読取手段と、
前記第一の画像読取手段の近傍の温度を検出する第一の温度検出手段と、
前記第二の画像読取手段の近傍の温度を検出する第二の温度検出手段と、
前記第一の画像読取手段の近傍の温度を調整する第一の温度調整手段と、
前記第二の画像読取手段の近傍の温度を調整する第二の温度調整手段と、
前記第一の温度検出手段及び前記第二の温度検出手段の検出の結果に基づいて、前記第一の温度調整手段及び前記第二の温度調整手段の動作を制御する手段とを有することを特徴とする画像読取装置。
【請求項３】
原稿を搬送する手段と、搬送中の原稿の一方面に記録された画像情報を読み取る第一の画像読取手段と、搬送中の原稿の他方面に記録された画像情報を読み取る第二の画像読取手段とを有する画像読取装置の制御方法であって、
前記第一の画像読取手段の近傍及び前記第二の画像読取手段の近傍の温度を検出する温度検出工程と、
前記第一の画像読取手段の近傍の温度を調整する温度調整工程と、
前記温度検出工程の検出の結果に基づいて、前記温度調整工程の動作を制御する工程とを有することを特徴とする画像読取装置の制御方法。
【請求項４】
原稿を搬送する搬送手段と、搬送中の原稿の一方面に記録された画像情報を読み取る第一の画像読取手段と、搬送中の原稿の他方面に記録された画像情報を読み取る第二の画像読取手段とを有する画像読取装置の制御方法であって、
前記第一の画像読取手段の近傍及び前記第二の画像読取手段の近傍の温度を検出する温度検出工程と、
前記第一の画像読取手段の近傍の温度及び前記第二の画像読取手段の近傍の温度を調整する温度調整工程と、
前記温度検出工程の検出の結果に基づいて、前記温度調整工程の動作を制御する工程とを有することを特徴とする画像読取装置の制御方法。
【発明の詳細な説明】
【技術分野】
【０００１】
本発明は、原稿に記録された画像情報を読み取る画像読取装置及びその制御方法に関する。
【背景技術】
【０００２】
従来、複写機等に使用される画像読取装置には、いわゆる「流し読み方式」で原稿の画像を読み取るものが知られている。この流し読み方式では、自動原稿給送装置により原稿を１ページずつ原稿台ガラス上に搬送し、その搬送路に固定された露光装置により露光されて原稿の画像が読み取られる（例えば、特許文献１参照）。さらには、生産性向上のために画像読取装置を２つ設けて、原稿の表裏を一度の搬送で読み取るものが知られている（例えば、特許文献２参照）。
【０００３】
図７は、上述したような従来の自動原稿給送装置を搭載した画像読取装置の構成を示す断面図である。
【０００４】
図７において、１００は自動原稿給送装置である。１０１は原稿トレイであり、原稿１０２を積載する。原稿トレイ１０１の上方には、給紙ローラ１０３が設けられている。
【０００５】
給紙動作が開始されると、給紙ローラ１０３は下降して原稿１０２の上面に当接する。そして、分離搬送従動ローラ１０５は、分離搬送ローラ１０４と協働して、給紙ローラ１０３によって給紙される原稿１０２を１枚ずつ捌いて給紙する。
【０００６】
その後、レジストローラ１０６及びレジスト従動ローラ１０７は、原稿にループを生じさせてその先端を揃え、リードローラ１０８及びリード従動ローラ１０９は、原稿を流し読みガラス１１６に向けて搬送する。この際、流し読みガラス１１６上（第一の読み取り部）を通過する原稿１０２の表面の画像情報を表面用ＣＩＳラインセンサ１１９によって読み取る。
【０００７】
表面用ＣＩＳラインセンサ１１９での原稿１０２の表面画像読み取りが終了すると、リード排出ローラ１１１及びリード排出従動ローラ１１２は、原稿を裏面用ＣＩＳラインセンサ１２０側に搬送する。この際、流し読みガラス１２２上（第二の読み取り部）を通過する原稿１０２の裏面の画像情報を裏面用ＣＩＳラインセンサ１２０によって読み取る。裏面用ＣＩＳラインセンサ１２０での原稿１０２の裏面画像読み取りが終了すると、排紙ローラ１１３は原稿を排紙トレイ１１４に排出する。
【先行技術文献】
【特許文献】
【０００８】
【特許文献１】特開２００１−２８５５９５号公報
【特許文献２】特開２００４−１８７１４４号公報
【発明の概要】
【発明が解決しようとする課題】
【０００９】
しかしながら、上記図７に示すような構成を採る画像読取装置においては、表面用のＣＩＳラインセンサ、裏面のＣＩＳラインセンサそれぞれの近傍の構成が異なるため、周囲の熱源やエアフロー等に差異が存在する。
【００１０】
原稿の画像の読み取りを行うと、光電変換素子が駆動することとランプが点灯することにより、ＣＩＳラインセンサ近傍の温度が上昇する。その結果、上述したように周囲の熱源やエアフロー等に差異が存在するため、画像読み取り中の表面用のＣＩＳラインセンサ近傍の温度と裏面用のＣＩＳラインセンサ近傍の温度に差異が生ずる。
【００１１】
ＣＩＳラインセンサ内のＣＣＤセンサは温度特性を持つため、表面用ＣＩＳラインセンサと裏面用ＣＩＳラインセンサで温度が異なると両センサ間で読み取り特性に差異が発生する。そのため、同一の原稿を表面及び裏面で読み取った場合であっても、これらの読み取り結果が異なってしまうという問題があった。
【００１２】
本発明は上記従来の問題点に鑑み、原稿の表面の画像情報を読み取る読み取りセンサの近傍と裏面を読み取る読み取りセンサの近傍との温度差に起因する読み取り特性の差異を解消することができる画像読取装置及びその制御方法を提供することを目的とする。
【課題を解決するための手段】
【００１３】
上記目的を達成するために、本発明の画像読取装置は、原稿を搬送する手段と、搬送中の原稿の一方面に記録された画像情報を読み取る第一の画像読取手段と、搬送中の原稿の他方面に記録された画像情報を読み取る第二の画像読取手段と、前記第一の画像読取手段の近傍の温度を検出する第一の温度検出手段と、前記第二の画像読取手段の近傍の温度を検出する第二の温度検出手段と、前記第一の画像読取手段の近傍の温度を調整する温度調整手段と、前記第一の温度検出手段及び前記第二の温度検出手段の検出の結果に基づいて、前記温度調整手段の動作を制御する手段とを有することを特徴とする。
【００１４】
また、本発明の画像読取装置は、原稿を搬送する手段と、搬送中の原稿の一方面に記録された画像情報を読み取る第一の画像読取手段と、搬送中の原稿の他方面に記録された画像情報を読み取る第二の画像読取手段と、前記第一の画像読取手段の近傍の温度を検出する第一の温度検出手段と、前記第二の画像読取手段の近傍の温度を検出する第二の温度検出手段と、前記第一の画像読取手段の近傍の温度を調整する第一の温度調整手段と、前記第二の画像読取手段の近傍の温度を調整する第二の温度調整手段と、前記第一の温度検出手段及び前記第二の温度検出手段の検出の結果に基づいて、前記第一の温度調整手段及び前記第二の温度調整手段の動作を制御する手段とを有することを特徴とする。
【００１５】
また、本発明の画像読取装置の制御方法は、原稿を搬送する手段と、搬送中の原稿の一方面に記録された画像情報を読み取る第一の画像読取手段と、搬送中の原稿の他方面に記録された画像情報を読み取る第二の画像読取手段とを有する画像読取装置の制御方法であって、前記第一の画像読取手段の近傍及び前記第二の画像読取手段の近傍の温度を検出する温度検出工程と、前記第一の画像読取手段の近傍の温度を調整する温度調整工程と、前記温度検出工程の検出の結果に基づいて、前記温度調整工程の動作を制御する工程とを有することを特徴とする。
【００１６】
また、本発明の画像読取装置の制御方法は、原稿を搬送する搬送手段と、搬送中の原稿の一方面に記録された画像情報を読み取る第一の画像読取手段と、搬送中の原稿の他方面に記録された画像情報を読み取る第二の画像読取手段とを有する画像読取装置の制御方法であって、前記第一の画像読取手段の近傍及び前記第二の画像読取手段の近傍の温度を検出する温度検出工程と、前記第一の画像読取手段の近傍の温度及び前記第二の画像読取手段の近傍の温度を調整する温度調整工程と、前記温度検出工程の検出の結果に基づいて、前記温度調整工程の動作を制御する工程とを有することを特徴とする。
【発明の効果】
【００１７】
本発明によれば、第一の画像読取手段の近傍と第二の画像読取手段の近傍との温度差に起因する読み取り特性の差異を解消することができ、高品質の画像読み取りが可能になる。
【図面の簡単な説明】
【００１８】
【図１】本発明の第１の実施の形態における、自動原稿給送装置を搭載した画像読取装置の構成を示す断面図である。
【図２】本実施の形態における画像読取装置の制御系の構成を示すブロック図である。
【図３】図１中のＣＩＳラインセンサの詳細な構成を示す断面斜視図である。
【図４】第１の実施の形態における表面用ヒータの制御を示すフローチャートである。
【図５】本発明の第２の実施の形態における、自動原稿給送装置を搭載した画像読取装置の構成を示す断面図である。
【図６】第２の実施の形態における裏面用ファンの制御を示すフローチャートである。
【図７】従来の自動原稿給送装置を搭載した画像読取装置の構成を示す断面図である。
【発明を実施するための形態】
【００１９】
以下、本発明の実施の形態について、図面を参照しながら説明する。
【００２０】
［第１の実施の形態］
＜画像読取装置の構成＞
図１は、本発明の第１の実施の形態における、自動原稿給送装置を搭載した画像読取装置の構成を示す断面図である。また、図２は、本実施の形態における画像読取装置の制御系の構成を示すブロック図である。
【００２１】
図１に示すように、この画像読取装置３１５は、自動原稿給送装置３００を搭載している。自動原稿給送装置３００には、原稿３０２を積載するための原稿トレイ３０１が設置されている。さらに、原稿トレイ３０１の上方には、給紙ローラ３０３が設けられている。給紙ローラ３０３は、分離搬送ローラ３０４と同一駆動源に接続され、その回転に連れて回転し、原稿３０２を給紙する。また、給紙ローラ３０３は、通常、ホームポジションである上方の位置に退避しており、原稿のセット作業を阻害しないようになっている。
【００２２】
給紙動作が開始されると、給紙ローラ３０３は下降して原稿３０２の上面に当接する。給紙ローラ３０３は、図示しないアームに軸支されているので、アームが揺動することにより上下に移動する。分離搬送従動ローラ３０５は、分離搬送ローラ３０４の対向側に配置されており、分離搬送ローラ３０４側に押圧されている。分離搬送従動ローラ３０５は、分離搬送ローラ３０４より僅かに摩擦が少ないゴム材等から形成されており、分離搬送ローラ３０４と協働して、給紙ローラ３０３によって給紙される原稿３０２を１枚ずつ捌いて給紙する。
【００２３】
レジストローラ３０６及びレジスト従動ローラ３０７は、分離部で給紙された原稿の先端を揃えるものであり、静止したレジストローラ対３０６、３０７のニップ部に向けて分離した原稿の先端を突き当て、原稿にループを生じさせてその先端を揃える。そして、リードローラ３０８及びリード従動ローラ３０９は、原稿３０２を流し読みガラス３１６に向けて搬送する。このとき、表面用ＣＩＳラインセンサ３１９（第一の画像読取手段の一例）は、流し読みガラス３１６上を通過する搬送中の原稿３０２の表面（一方面）に記録された画像情報を読み取る。流し読みガラス３１６の対向側には、プラテンローラ３１０が配置されている。
【００２４】
表面用ＣＩＳラインセンサ３１９での原稿３０２の表面画像読み取りが終了すると、リード排出ローラ３１１及びリード排出従動ローラ３１２は、原稿を裏面用ＣＩＳラインセンサ３２０（第二の画像読取手段の一例）側へ搬送する。このとき、裏面用ＣＩＳラインセンサ３２０は、流し読みガラス３２２上を通過する搬送中の原稿３０２の裏面（他方面）の画像情報を読み取る。３１７は流し読みガラス３１６からシートをすくい上げるためのジャンプ台である。裏面用ＣＩＳラインセンサ３２０の対向側には、プラテンローラ３２１が配置されている。裏面用ＣＩＳラインセンサ３２０での原稿３０２の裏面画像読み取りが終了すると、排紙ローラ３１３は原稿を排紙トレイ３１４へ排出する。
【００２５】
図２において、表面用ＣＩＳラインセンサ３１９は、ワイヤ（図示せず）によって駆動モータ７１２と結合され、駆動モータ７１２の回転駆動により原稿台ガラス３１８と平行に移動する。移動制御部７１１は、駆動モータ７１２により表面用ＣＩＳラインセンサ３１９の移動を制御する。
【００２６】
読み取り制御部７０４は、移動制御部７１１及び原稿搬送制御部７２１を通して画像読み取り動作を制御する回路であり、画像読取装置３１５のバス７００に接続されている。また、原稿搬送制御部７２１は、読み取り制御部７０４の制御信号により搬送モータ７２２による原稿の搬送を制御する回路である。
【００２７】
表面用ＣＩＳラインセンサ３１９及び裏面用ＣＩＳラインセンサ３２０から出力された画素データは、画像入力部７０７を介して画像バッファ７０５に一時保存され、その後、画像メモリ７０６にページ単位で記憶されるようになっている。画像バッファ７０５及び画像メモリ７０６はバス７００に接続されている。
【００２８】
ＣＰＵ７０１は、ヒータ制御部７３１及び読み取り制御部７０４を含む画像読取装置全体を制御する。ＲＯＭ７０２は、ＣＰＵ７０１が動作するためのプログラムが格納されている。ＲＡＭ７０３は、ＣＰＵ７０１のワークエリアとして使用するメモリである。操作部７０８は、読み取りスタート等の起動ボタンを備え、ＣＰＵ７０１、ＲＯＭ７０２及びＲＡＭ７０３と共にバス７００に接続されている。
【００２９】
表面用ＣＩＳラインセンサ３１９近傍に表面用温度検出センサ３２３（第一の温度検出手段の一例）が配置され、裏面用ＣＩＳラインセンサ３２０近傍には裏面用温度検出センサ３２４（第二の温度検出手段の一例）が配置されている。
【００３０】
そして、これらセンサ３２３，３２４により表面用ＣＩＳラインセンサ３１９近傍の温度及び裏面用ＣＩＳラインセンサ３２０近傍の温度が検出され、その結果が図２に示す信号処理部７３２を介してＣＰＵ７０１へ転送される。そして、ＣＰＵ７０１は、表面用ＣＩＳラインセンサ３１９近傍の温度と裏面用ＣＩＳラインセンサ３２０近傍の温度とが同一となるように、図２に示すヒータ制御部７３１を介して、表面用ヒータ３２５のオン，オフを制御するようになっている。
【００３１】
本実施の形態では、温度調整手段としてヒータを用い、ヒータは表面にのみ配置している。これは、同一のＣＩＳラインセンサを用いた場合、表面用ＣＩＳラインセンサ３１９近傍に比べ、裏面用ＣＩＳラインセンサ３２０近傍の方が昇温が早く収束する温度も高いためである。つまり、裏面用ＣＩＳラインセンサ３２０近傍の方が自然対流が少ないため、温度が下がりにくいのである。そこで、温度調整手段として表面用ヒータ３２５のみを設置して、表面用ＣＩＳラインセンサ３１９の近傍の温度を適宜上げるようにしている。
【００３２】
＜ＣＩＳラインセンサの詳細な構成＞
図３は、図１中のＣＩＳラインセンサの詳細な構成を示す断面斜視図である。
【００３３】
このＣＩＳラインセンサは、読み取り原稿面に対して光を照射するランプ２０１、及び原稿１０２からの反射光をＣＣＤセンサ２０２に結像するセルフォックレンズアレー２０３を有する。ＣＣＤセンサ２０２は基版２０４に実装されており、ランプ２０１及びセルフォックレンズアレー２０３及び基版２０４はＣＩＳユニット２０５に取り付けられている。
【００３４】
原稿からの反射光は、セルフォックレンズアレー２０３を介してＣＣＤセンサ２０２に結像される。ＣＣＤセンサ２０２は、結像した反射光を光電変換し、入射光量に応じた電気信号を出力する。
【００３５】
＜ヒータの制御処理＞
次に、表面用ヒータ３２５の制御について、図４を参照して説明する。図４は、第１の実施の形態における表面用ヒータ３２５の制御を示すフローチャートである。この制御は、ＲＯＭ７０２に格納されたプログラムコードに従ってＣＰＵ７０１が実行する。
【００３６】
本実施の形態における画像読取装置が連続動作をしている際、まず表面用ＣＩＳラインセンサ３１９近傍の温度Ｔ１と裏面用ＣＩＳラインセンサ３２０近傍の温度Ｔ２を測定する。即ち、ＣＰＵ７０１は、表面用温度検出センサ３２３によって検出された表面用ＣＩＳラインセンサ３１９近傍の温度データＴ１を信号処理部７３２を介して取得する（ステップＳ４０１）。また、裏面用温度検出センサ３２４によって検出された裏面用ＣＩＳラインセンサ３２０近傍の温度データＴ２を信号処理部７３２を介して取得する（ステップＳ４０２）。
【００３７】
続いて、ＣＰＵ７０１は、取得した、表面用ＣＩＳラインセンサ３１９近傍の温度データＴ１と裏面用ＣＩＳラインセンサ３２０近傍の温度データＴ２とを比較する（ステップＳ４０３）。比較した結果、
Ｔ１＜Ｔ２
である場合は、表面用ヒータ３２５をオンし（ステップＳ４０４）、Ｔ１＜Ｔ２である場合は表面用ヒータ３２５をオフする（ステップＳ４０５）。その後、所定時間を待ち（ステップＳ４０６）、ステップＳ４０１に戻って再び一連の動作を繰り返す。
【００３８】
＜第１の実施の形態に係る利点＞
第１の実施の形態によれば、画像読取装置が連続動作をしている際に、表面用ＣＩＳラインセンサ３１９近傍の温度データＴ１と裏面用ＣＩＳラインセンサ３２０近傍の温度データＴ２を測定する。そして、両者の温度測定結果を用いて、表面用ＣＩＳラインセンサ３１９の近傍に設置された表面用ヒータ３２５のオン／オフを制御するようにした。
【００３９】
これにより、表面用及び裏面用温度検出センサ３２３，３２４による検出温度をほぼ同一とすることが可能となり、表面用ＣＩＳラインセンサ３１９近傍と裏面用ＣＩＳラインセンサ３２０近傍の温度差に起因する読み取り特性の差異を解消することができる。
【００４０】
［第２の実施の形態］
次に、本発明の実施の形態について、図５及び図６を参照しながら説明する。
【００４１】
＜画像読取装置の構成＞
図５は、本発明の第２の実施の形態における、自動原稿給送装置を搭載した画像読取装置の構成を示す断面図であり、図１と共通の要素には同一の符号を付し、その説明を省略する。
【００４２】
第２の実施の形態における画像読取装置が、上述した第１の実施の形態の構成と異なる点は、両ラインセンサ３１９，３２０による検出温度差を解消するために、ヒータを設置するのではなく、ファンを設置するようにしたことである。即ち、裏面用ＣＩＳラインセンサ３２０近傍の温度を下げるように働く裏面用ファン５２５を設置する。
【００４３】
そして、ＣＰＵ７０１は、表面用ＣＩＳラインセン３１９近傍の温度と裏面用ＣＩＳラインセンサ３２０近傍の温度とが同一となるように、裏面用ファン５２５のオン，オフを制御するようになっている。即ち、図２に示した構成において、表面用ヒータ３２５の代わりに裏面用ファン５２５を用い、ヒータ制御部７３１に代えてファン制御部をバス７００に接続するような構成を採る。
【００４４】
本実施の形態では、温度調整手段としてファンを裏面にのみ配置する。これは、前述したように、同一のＣＩＳラインセンサを用いた場合、表面用ＣＩＳラインセンサ３１９近傍に比べ、裏面用ＣＩＳラインセンサ３２０近傍の方が昇温が早く収束する温度が高いためである。つまり、裏面用ＣＩＳラインセンサ３２０近傍の方が自然対流が少ないため、温度が下がりにくいのである。そこで、温度調整手段として裏面用ファン５２５のみを設置して、裏面用ＣＩＳラインセンサ３２０の近傍の温度を適宜下げるようにしている。
【００４５】
＜ファンの制御処理＞
次に、裏面用ファン５２５の制御について、図６を参照して説明する。図６は、第２の実施の形態における裏面用ファン５２５の制御を示すフローチャートである。この制御は、ＲＯＭ７０２に格納されたプログラムコードに従ってＣＰＵ７０１が実行する。
【００４６】
ステップＳ６０１からステップＳ６０３までの処理は、それぞれ図４で説明したステップＳ４０１からステップＳ４０３までの処理と同様である。
【００４７】
ステップＳ６０３において、表面用ＣＩＳラインセンサ３１９近傍の温度データＴ１と裏面用ＣＩＳラインセンサ３２０近傍の温度データＴ２とを比較し、その比較した結果、
Ｔ１＜Ｔ２
である場合は、裏面用ファン５２５をオフし（ステップＳ６０４）、Ｔ１＜Ｔ２である場合は裏面用ファン５２５をオンする（ステップＳ６０５）。その後、所定時間を待ち（ステップＳ６０６）、ステップＳ６０１へ戻って再び一連の動作を繰り返す。
【００４８】
＜第２の実施の形態に係る利点＞
第２の実施の形態では、温度調整手段として裏面用ファン５２５のみを用いたが、このような構成であっても、上記第１の実施の形態と同様の効果を奏する。
【００４９】
［他の実施の形態］
第１の実施の形態では、温度調整手段であるヒータを表面用ＣＩＳラインセンサ３１９の近傍にのみ設置し、第２の実施の形態では、温度調整手段であるファンを裏面用ＣＩＳラインセンサ３２０の近傍にのみ設置した。このような構成に限定されず、表面用ＣＩＳラインセンサ３１９近傍、裏面用ＣＩＳラインセンサ３２０近傍に各々の温度調整手段（第一の温度調整手段、第二の温度調整手段）を設置するような構成であっても構わない。このような構成の場合では、表面用及び裏面用温度検出センサ３２３，３２４の温度測定結果を用いて、表面用及び裏面用ＣＩＳラインセンサ３１９，３２０の近傍に設置された各々の温度調整手段を制御することになる。
【符号の説明】
【００５０】
３１５  画像読取装置
３１９  表面用ＣＩＳラインセンサ
３２０  裏面用ＣＩＳラインセンサ
３２３  表面用温度検出センサ
３２４  裏面用温度検出センサ
３２５  表面用ヒータ
５２５  表面用ファン
７０１  ＣＰＵ
７０２  ＲＯＭ
【図１】
2010219758.tif 000003
【図２】
2010219758.tif 000004
【図３】
2010219758.tif 000005
【図４】
2010219758.tif 000006
【図５】
2010219758.tif 000007
【図６】
2010219758.tif 000008
【図７】
2010219758.tif 000009